【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
流路入口から流路出口オリフィスへの流体連通を提供する流路を有する押出ダイであって、
前記流路は、横断流供給マニホールドと、前記出口オリフィスを含む下流チャネル部分とを有し、前記マニホールドは、或る幅にわたり、
前記マニホールドは、前記マニホールド幅に沿って、互いに角度関係を有するとともに移行ゾーンを形成する対向する移行面を有し、
前記対向する移行面は、前記下流チャネル部分の面と交差し、
前記移行ゾーンは、前記マニホールド幅の一部に沿って、可変挟角を有し、マニホールド断面は可変挟角の変化に関連して変化する前記押出ダイ。
【請求項２】
前記移行ゾーンは、前記マニホールド幅の中線と、前記マニホールド内の横断流を実質的に終止させる位置との間で前記可変挟角を有する、請求項１に記載の押出ダイ。
【請求項３】
前記可変挟角は、第１の流線と第２の流線との間で変化し、
(i)前記第２の流線は、前記位置において横断流を実質的に終止させる、または、
(ii)前記第１の流線及び前記第２の流線は、第３の流線によって隔てられている、
請求項２に記載の押出ダイ。
【請求項４】
(i)横断流を実質的に終止させる前記位置は、前記中線と前記マニホールドの端領域との間にある、
(ii)前記マニホールドの端領域が、横断流を実質的に終止させる前記位置を有する、
(iii)前記位置は、前記中線と、前記マニホールド内の横断流を終端させる位置との間にある、
(iv)前記マニホールドの端領域が、横断流を終端させる位置を有する、
のいずれかである請求項２に記載の押出ダイ。
【請求項５】
前記対向する移行面のうちの少なくとも一方は、前記可変挟角に関連して非平面である、請求項１に記載の押出ダイ。
【請求項６】
前記マニホールドは、前記マニホールド幅の一部に沿って、一定の幾何学的パラメータを有し、前記一定の幾何学的パラメータは、
(i)一定の接線高さ、
(ii)一定の高さ、
(iii)一定の長さ、
(iv)一定の接線長さ、
(v)(i)から(iv)の組み合わせ、
のいずれかである請求項１に記載の押出ダイ。
【請求項７】
(i)前記可変挟角は減少し、マニホールド断面積は減少する、
(ii)前記可変挟角は増加し、マニホールド断面積は減少する、
(iii)前記可変挟角の変化は、線形変化及び非線形変化から選択される、
(iv)前記可変挟角は減少し、前記対向する移行面のうちの少なくとも一方は長さが増加する、
(v)前記可変挟角に関連して、前記対向する移行面のうちの少なくとも一方は長さが主流方向に変化し、長さの前記変化は、線形変化及び非線形変化から選択される、
のいずれかである請求項１に記載の押出ダイ。
【請求項８】
前記マニホールド幅の一部に沿って、
(i)前記マニホールドは、一定のまたは変化する丸み半径を有するか、または、
(ii)前記対向する移行面の一つは一定のまたは変化する丸み半径と交差する、
請求項１に記載の押出ダイ。
【請求項９】
前記可変挟角の変化は、
(i)変化するマニホールド高さ、接線高さ、長さ、丸み半径、拡張長さ、またはこれらの組み合わせのいずれかと、一定の接線長さとに関連する、
(ii)変化するマニホールド高さ、接線高さ、接線長さ、丸み半径、またはこれらの組み合わせのいずれかと、一定のマニホールド長さとに関連する、
(iii)変化するマニホールド接線高さ、長さ、接線長さ、丸み半径、またはこれらの組み合わせのいずれかと、一定のマニホールド高さとに関連する、
(iv)変化するマニホールド高さ、長さ、接線長さ、丸み半径、またはこれらの組み合わせのいずれかと、一定の接線高さとに関連する、
(v)変化するマニホールド高さ、接線高さ、長さ、拡張長さ、またはこれらの組み合わせのいずれかと、一定のマニホールド丸み半径とに関連する、
のいずれかである請求項１に記載の押出ダイ。
【請求項１０】
前記マニホールドは、第１の拡張長さを更に有する第１の概ね拡張した断面形状から、前記第１の拡張長さよりも短い第２の拡張長さを更に有する第２の概ね拡張した断面形状へと、前記移行ゾーンの変化に関連して変化する、請求項１に記載の押出ダイ。
【請求項１１】
前記マニホールドは、前記マニホールド幅の一部に沿って変化する丸み半径を有し、前記可変挟角は更に、
(i)変化するマニホールド高さ、接線高さ、長さ、拡張長さ、またはこれらの組み合わせのいずれかに関連し、前記一定の幾何学的パラメータは接線長さである、
(ii)変化するマニホールド高さ、接線高さ、接線長さ、またはこれらの組み合わせのいずれかに関連し、前記一定の幾何学的パラメータは長さである、
(iii)変化するマニホールド接線高さ、長さ、接線長さ、またはこれらの組み合わせのいずれかに関連し、前記一定の幾何学的パラメータは高さである、
(iv)変化するマニホールド高さ、長さ、接線長さ、またはこれらの組み合わせのいずれかに関連し、前記一定の幾何学的パラメータは接線高さである、
のいずれかである請求項６に記載の押出ダイ。
【請求項１２】
前記可変挟角は、流路長さに関連する、請求項１に記載の押出ダイ。
【請求項１３】
前記可変挟角は、前記マニホールド幅の前記一部に沿って、マニホールド断面形状または断面積の変化に関連して変化する、請求項１に記載の押出ダイ。
【請求項１４】
(i)前記マニホールドの断面形状の前記変化は、概ね拡張した断面形状から概ね涙滴形状の断面へ前記マニホールドを変形させる、
(ii)前記マニホールドの断面形状の前記変化は、概ね拡張した断面形状から概ね涙滴形状の断面へ前記マニホールドを変形させ、前記可変挟角は減少し、前記対向する移行面のうち、少なくとも前記概ね涙滴形状の断面の一方は、前記対向する移行面のうち、前記概ね拡張した断面形状の一方よりも長い、
(iii)前記可変挟角の変化は、マニホールド断面積の減少に関連する、
のいずれかである請求項１３に記載の押出ダイ。
【請求項１５】
前記出口オリフィスは出口縁で終端し、前記マニホールドと前記下流チャネル部分とに共通の境界が、前記マニホールド幅に沿って、前記出口縁に対して平行または概ね平行である請求項１に記載の押出ダイ。
【請求項１６】
前記出口オリフィスは出口縁で終端し、前記対向する移行面の一方は前記下流チャネル部分の面の一方と交差して共通の境界曲線を形成し、
(i)前記可変挟角は、前記出口縁に対して前記共通の境界曲線の平行又は概ね平行の関係を規定し、
(ii)前記可変挟角は、前記流路幅に沿って実質的に約１：１の流路長さ比を規定する、
のいずれかである請求項１２に記載の押出ダイ。
【請求項１７】
前記マニホールドは、
(i)減少する接線高さ及び前記一定の接線高さから選択される接線高さを有し、前記可変挟角は、前記マニホールド断面積の減少に関連して変化する、
(ii)減少する接線高さ及び前記一定の接線高さから選択される接線高さを有し、前記可変挟角は、前記マニホールド断面積の減少に関連して変化し、前記移行ゾーンは、比較的長いマニホールド接線長さに関連した比較的小さい第１の挟角と、比較的短いマニホールド接線長さに関連した比較的大きい第２の挟角とを有する、
(iii)減少する高さ及び前記一定の高さから選択される高さを有し、前記可変挟角は、前記マニホールド断面積の減少に関連して変化する、
(iv)一定の高さを有し、前記可変挟角は、マニホールド長さに関連して変化する、
のいずれかである請求項９に記載の押出ダイ。
【請求項１８】
(i)前記下流チャネル部分の面は横断流絞り隙間を形成する、
(ii)前記下流チャネル部分の面は横断流絞り隙間を形成し、前記下流チャネル部分の面は互いに対して前記マニホールド幅の一部に沿って前記概ね平行か斜めであり、前記可変挟角は前記横断流絞り隙間に関連して変化する、
のいずれかである請求項１に記載の押出ダイ。
【請求項１９】
前記マニホールドは、前記マニホールド幅の一部に沿って、
(i)変化する丸み半径及び一定の接線高さを有する、
(ii)変化する丸み半径及び一定のマニホールド高さを有する、
(iii)変化する丸み半径及び一定のマニホールド接線長さを有する、
(iv)変化する丸み半径及び一定のマニホールド長さを有する、
のいずれかである請求項１に記載の押出ダイ。
【請求項２０】
前記下流チャネル部分は、さらに、
(i)出口縁を有し、マニホールド幅に沿って、共通の境界曲線が複数の端点によって規定され、第２の境界曲線が前記可変挟角の複数の交点によって規定され、前記共通の境界曲線及び前記第２の境界曲線から選択される境界曲線は、前記出口縁に対して平行か、概ね平行か、斜めである、
(ii)横断流絞りゾーン及び出口縁を有し、前記マニホールド幅に沿って、前記横断流絞りゾーンの上流境界は、前記出口縁に対して平行か、概ね平行である、
のいずれかである請求項１に記載の押出ダイ。
【請求項２１】
前記マニホールドは、さらに、上流境界曲線及び下流境界曲線によって規定され、前記下流境界曲線は複数の端点又は前記可変挟角の複数の交点によって規定され、前記下流境界曲線は前記上流境界曲線に対して平行か、概ね平行か、斜めである請求項１に記載の押出ダイ。
【請求項２２】
(i)前記マニホールド幅の一部に沿って、複数の端点によって規定される境界曲線と、複数の交点によって規定される境界曲線とは、互いに対して平行か、概ね平行か、斜めである、
(ii)前記下流チャネル部分は、前記マニホールド幅に沿って、主流方向に対して横断方向の所定の質量流量分布をもたらすように設計されている横断流絞りゾーンを更に有し、前記所定の質量流量分布は、実質的に均一な質量流量分布及び不均一な質量流量分布から選択され、前記横断流絞りゾーンは、（ａ）単一段式流量絞りゾーンまたは（ｂ）多段式流量絞りゾーンである、
のいずれかである請求項１に記載の押出ダイ。
【請求項２３】
(i)前記マニホールドは、概ね涙滴形状の断面を有する、
(ii)前記マニホールドは、拡張面を更に有する、
(iii)前記可変挟角は、鋭角、直角及び鈍角からなる群から選択される角度である、
(iv)前記マニホールドは、一定の挟角を有する移行ゾーン部分を含むマニホールド部を更に有し、前記可変挟角を有する前記移行ゾーンは、一定の挟角を有する前記移行ゾーン部分と境を接する、
のいずれかである請求項１に記載の押出ダイ。
【請求項２４】
流路入口から流路出口オリフィスへの流体連通を提供する流路を有する押出ダイであって、前記流路は、多段式横断流供給マニホールドと、前記出口オリフィスを含む下流チャネル部分とを有し、前記多段式マニホールドは、或る幅にわたり、
前記多段式マニホールドは、前記マニホールド幅に沿って、互いに角度関係を有するとともに、可変挟角を有する移行ゾーンを形成する対向する移行面を有する第１のマニホールド部と、該第１のマニホールド部と境を接して、互いに角度関係を有するとともに、一定の挟角を有する移行ゾーンを形成する対向する移行面を有する第２のマニホールド部と、を含む、押出ダイ。
【請求項２５】
境を接するマニホールド境界は、前記第１のマニホールド部と前記第２のマニホールド部との境界を定める、請求項２４に記載の押出ダイ。
【請求項２６】
前記可変挟角を有する前記移行ゾーンは、前記マニホールド幅の中線と前記境を接するマニホールド境界との間にある、請求項２５に記載の押出ダイ。
【請求項２７】
前記対向する移行面のうちの少なくとも一方は、前記第１のマニホールド部の幅に沿って非平面である、請求項２４に記載の押出ダイ。
【請求項２８】
前記マニホールド幅の中線と前記境を接するマニホールド境界との間で、前記可変挟角は、前記マニホールド断面積の変化に関連して変化する、請求項２５に記載の押出ダイ。
【請求項２９】
前記可変挟角は、
(i)減少し、前記マニホールド断面積は減少する、
(ii)増加し、前記マニホールド断面積は減少する、
のいずれかである請求項２８に記載の押出ダイ。
【請求項３０】
前記可変挟角の変化は、線形変化及び非線形変化から選択される、請求項２４に記載の押出ダイ。
【請求項３１】
前記マニホールド幅の中線と前記境を接するマニホールド境界との間で、前記マニホールド断面は、前記可変挟角の変化に関連して変化する、請求項２５に記載の押出ダイ。
【請求項３２】
前記可変挟角は、
(i)減少し、前記対向する移行面のうちの少なくとも一方は長さが増加する、
(ii)一定の長さ及び実質的に一定の長さから選択されるマニホールド長さに関連して変化する、
(iii)一定の接線長さ及び実質的に一定の接線長さから選択される接線長さに関連して変化する、
のいずれかである請求項３１に記載の押出ダイ。
【請求項３３】
前記第１のマニホールド部は、第１の拡張長さを更に有する第１の概ね拡張した断面形状から、前記第１の拡張長さよりも短い第２の拡張長さを更に有する第２の概ね拡張した断面形状へと、前記移行ゾーンの前記変形に関連して変化する、請求項３１に記載の押出ダイ。
【請求項３４】
前記可変挟角は、前記マニホールド幅の中線と前記境を接するマニホールド境界との間で、第１の断面形状から第２の断面形状への前記マニホールドの変形に関連して変化する、請求項２５に記載の押出ダイ。
【請求項３５】
前記マニホールドの前記変形は、概ね拡張した断面形状から概ね涙滴形状の断面へのものであり、
前記可変挟角は減少し、前記対向する移行面のうち、少なくとも前記概ね涙滴形状の断面の一方は、前記対向する移行面のうち、前記概ね拡張した断面形状の一方よりも長い、請求項３４に記載の押出ダイ。
【請求項３６】
(i)前記可変挟角は減少し、前記対向する移行面のうちの少なくとも一方は長さが主流方向に変化し、長さの前記変化は、線形変化及び非線形変化から選択される、
(ii)前記可変挟角の前記変化は、マニホールド断面積の減少に関連する、
(iii)前記第１のマニホールド部は、一定の接線長さ及び実質的に一定の接線長さから選択される接線長さを有し、前記移行ゾーンは、前記接線長さに関連した比較的大きい第１の挟角及び比較的小さい第２の挟角を有する、
のいずれかである請求項３４に記載の押出ダイ。
【請求項３７】
前記マニホールド幅の中線と前記境を接するマニホールド境界との間で、前記第１のマニホールド部は、減少する接線高さ及び一定の接線高さから選択される接線高さを有し、前記可変挟角は、マニホールド断面積の変化に関連して変化する、請求項２５に記載の押出ダイ。
【請求項３８】
前記可変挟角を有する前記移行ゾーンは、比較的長いマニホールド接線長さに関連した比較的小さい第１の挟角と、比較的短いマニホールド接線長さに関連した比較的大きい第２の挟角とを有する、請求項３７に記載の押出ダイ。
【請求項３９】
前記マニホールド幅の中線と前記境を接するマニホールド境界との間で、
(i)前記マニホールドは、減少する高さ及び一定の高さから選択される高さを有し、前記可変挟角は、前記マニホールド断面積の変化に関連して変化する、
(ii)前記マニホールドは、減少する高さ及び一定の高さから選択される高さを有する、
(iii)前記マニホールドは、一定の接線高さ及び変化する高さを有し、前記可変挟角は、前記変化する高さに関連して変化する、
(iv)前記マニホールドは、前記可変角度に関連した一定のマニホールド接線長さ及び実質的に一定のマニホールド接線長さから選択されるマニホールド接線長さを有する減少する断面積を有する、
(v)前記マニホールドは、一定のマニホールド接線長さ及び実質的に一定のマニホールド接線長さから選択される接線長さを有し、前記可変角度は、前記第１のマニホールド部の前記接線長さに関連する、
(vi)前記マニホールドは、前記可変角度に関連した一定のマニホールド長さ及び実質的一定のマニホールド長さから選択されるマニホールド長さを有する減少する断面積を有する、
(vii)前記マニホールドは、一定のマニホールド長さ及び実質的に一定のマニホールド長さから選択される長さを有し、前記可変角度は、前記第１のマニホールド部の前記長さに関連する、
(viii)前記マニホールドは、変化する丸み半径及び一定の接線長さを有し、前記可変挟角は、前記丸み半径の変化に関連して変化する、
(ix)前記マニホールドは、変化する丸み半径、変化する接線高さ及び一定の接線長さを有し、前記可変挟角は、前記丸み半径の変化に関連して変化する、
(x)前記対向する移行面のうちの少なくとも一方は長さが主流方向に変化し、長さの前記変化は、線形変化及び非線形変化から選択される、
のいずれかである請求項２５に記載の押出ダイ。
【請求項４０】
前記マニホールド幅の中線から前記境を接するマニホールド境界にかけて、前記マニホールドは、一定の接線高さ及び減少する断面積を有する、請求項２５に記載の押出ダイ。
【請求項４１】
前記下流チャネル部分は、
(i)横断流絞りゾーン及び出口縁を更に有し、前記マニホールド幅の中線と前記境を接するマニホールド境界との間で、前記可変挟角は、境界を画定する複数の交点を含み、該交点によって画定される前記境界は、概ね平行な関係及び斜めの関係から選択される、前記出口縁との関係を有する、
(ii)横断流絞りゾーンを更に有し、前記マニホールド幅の中線と前記境を接するマニホールド境界との間で、前記第１のマニホールド部と前記下流チャネル部分とに共通の境界は、斜めの関係及び平行な関係から選択される、前記横断流絞りゾーンの上流境界に関連した関係を有する、
のいずれかである請求項２５に記載の押出ダイ。
【請求項４２】
前記下流チャネル部分は、
(i)横断流絞りゾーン及び出口縁を更に有し、前記マニホールド幅の中線と前記マニホールドの端との間で、前記第１のマニホールド部の前記移行ゾーンの前記挟角及び前記第２のマニホールド部の前記移行ゾーンの前記挟角は、境界を画定する複数の交点を含み、前記境界は、概ね平行な関係及び斜めの関係から選択される、前記出口縁との関係を有する、
(ii)横断流絞りゾーンを更に有し、前記マニホールド幅の中線と前記マニホールドの端との間で、前記マニホールドと前記下流チャネル部分とに共通の境界は、斜めの関係及び平行な関係から選択される、前記横断流絞りゾーンの上流境界に関連した関係を有する、
(iii)主流方向に対して横断方向の所定の質量流量分布をもたらすように設計されている横断流絞りゾーンを更に有し、前記所定の質量流量分布は、実質的に均一な質量流量分布及び不均一な質量流量分布から選択され、前記横断流絞りゾーンは、単一段式流量絞りゾーン及び多段式流量絞りゾーンから選択される、
(iv)主流方向に対して横断方向の、寸法が変化する隙間を有する横断流絞りゾーンを更に有し、前記マニホールドは、一定の接線長さ及び実質的に一定の接線長さから選択される接線長さを前記マニホールド幅に沿って有し、前記可変挟角は、前記接線長さに関連して変化する、
(v)主流方向に対して横断方向の、寸法が変化する隙間を有する横断流絞りゾーンを更に有し、前記マニホールドは、一定の長さ及び実質的に一定の長さから選択される長さを前記マニホールド幅に沿って有し、前記可変挟角は、前記長さに関連して変化する、
のいずれかである請求項２４に記載の押出ダイ。
【請求項４３】
前記マニホールドは、
(i)概ね涙滴形状の断面を有する、
(ii)拡張面を更に有する、
のいずれかである請求項２４に記載の押出ダイ。
【請求項４４】
前記マニホールド幅の中線と前記境を接するマニホールド境界との間で、前記第１のマニホールド部は、概ね拡張した断面形状から概ね涙滴形状の断面へと変形し、前記可変挟角は、前記変形に関連する、請求項２５に記載の押出ダイ。
【請求項４５】
前記境を接するマニホールド境界と境を接する前記第１のマニホールド部の前記断面は、前記境を接するマニホールド境界と境を接する前記第２のマニホールド部の前記断面に対応する、請求項２５に記載の押出ダイ。
【請求項４６】
前記第２のマニホールド部は、前記境を接するマニホールド境界から前記マニホールドの一端にかけて一定の断面を有する、請求項４５に記載の押出ダイ。
【請求項４７】
前記流路は、内部デッケル部材を収めるようになっている、請求項２４に記載の押出ダイ。
【請求項４８】
前記内部デッケル部材は、前記流路内に配置され、前記内部デッケル部材の一端は、前記マニホールド内の横断流を終端させる、請求項４７に記載の押出ダイ。
【請求項４９】
前記内部デッケル部材は、前記流路の一端から摺動可能に配置される、請求項４７に記載の押出ダイ。
【請求項５０】
前記摺動可能に配置される内部デッケル部材の一端は、前記マニホールド内の横断流を終端させる調整可能な境界である、請求項４９の押出ダイ。
【請求項５１】
前記第２のマニホールド部は、前記内部デッケル部材を収めるようになっている、請求項４７から５０のいずれかに記載の押出ダイ。
【請求項５２】
前記可変挟角は、鋭角、直角及び鈍角からなる群から選択される角度である、請求項２４に記載の押出ダイ。
【請求項５３】
前記マニホールド幅の中線と前記境を接するマニホールド境界との間で、前記可変挟角は前記流路長さに関連する、請求項２５に記載の押出ダイ。
【請求項５４】
前記マニホールド幅の中線と前記境を接するマニホールド境界との間で、前記流路長さは一定である、請求項５３に記載の押出ダイ。
【請求項５５】
前記流路幅に沿って、前記流路長さは一定である、請求項２４に記載の押出ダイ。
【請求項５６】
幅と長さとを有する流路を有する押出ダイであって、
前記流路は、バックラインを有する横断流供給マニホールドと、出口縁で終端する出口オリフィスを含む下流チャネル部分とをさらに有し、
前記マニホールドは、前記マニホールド幅に沿って、互いに角度関係を有するとともに移行ゾーンを形成する対向する移行面を有し、
前記対向する移行面の一方は、前記下流チャネル部分の面と交差して共通の境界曲線を形成し、
前記移行ゾーンは、前記流路の幅の一部に沿って、前記流路の幾何学的形状に関連した可変挟角を有し、
(i)前記可変挟角は前記出口縁に対して前記共通の境界曲線の平行または概ね平行な関係を規定する、
(ii)前記可変挟角は、前記流路幅に沿って実質的に約１：１の流路長さ比を規定する、
のいずれかである押出ダイ。
【請求項５７】
(i)前記共通の境界曲線は、マニホールドバックラインに対して平行又は概ね平行の関係を有する、
(ii)前記下流チャネル部分は横断流絞りゾーンを有し、前記共通の境界曲線は、横断流絞りゾーンから隙間を有する、
(iii)前記マニホールドは前記可変挟角に関連して減少する断面積を有する、
(iv)前記マニホールドは、実質的に一定の接線長さ又は一定の接線長さを有する、
(v)前記可変挟角は前記共通の境界曲線の位置に関連する、
のいずれかである請求項１６または５６に記載の押出ダイ。
【請求項５８】
(i)マニホールド断面は、前記可変挟角の変化に関連して変化する、
(ii)マニホールド断面は前記可変挟角の変化に関連して変化し、前記マニホールド断面は前記マニホールドの中線での第１の拡張長さを有する形状から第２の拡張長さを有する形状へ変化し、前記第２の拡張長さは前記第１の拡張長さよりも短く、前記マニホールド長さの増加は拡張長さの減少に対応する、
のいずれかである、請求項１６または５６に記載の押出ダイ。
【請求項５９】
(i)前記下流チャネル部分は、寸法が変化する横断流絞り隙間を有し、
(ii)前記下流チャネル部分は、寸法が変化する横断流絞り隙間を有し、前記マニホールドは、前記変化する横断流絞り隙間に対応する接線長さを有し、
(iii)前記下流チャネル部分は、寸法が変化する横断流絞り隙間を有し、前記共通の境界曲線の位置は前記変化する横断流絞り隙間の変化に対応して変化する、
のいずれかである、請求項１６または５６に記載の押出ダイ。
【手続補正２】
【補正対象書類名】図面
【補正対象項目名】図１
【補正方法】変更
【補正の内容】
【図１】
2015512346.tif 000001
【手続補正３】
【補正対象書類名】図面
【補正対象項目名】図２
【補正方法】変更
【補正の内容】
【図２】
2015512346.tif 000002
【手続補正４】
【補正対象書類名】図面
【補正対象項目名】図１６
【補正方法】変更
【補正の内容】
【図１６】
2015512346.tif 000003
【手続補正５】
【補正対象書類名】図面
【補正対象項目名】図１７
【補正方法】変更
【補正の内容】
【図１７】
2015512346.tif 000004
【手続補正６】
【補正対象書類名】図面
【補正対象項目名】図１９
【補正方法】変更
【補正の内容】
【図１９】
2015512346.tif 000005
【手続補正７】
【補正対象書類名】図面
【補正対象項目名】図２０
【補正方法】変更
【補正の内容】
【図２０】
2015512346.tif 000006
【手続補正８】
【補正対象書類名】明細書
【補正対象項目名】０１９５
【補正方法】変更
【補正の内容】
【０１９５】
高さＨ’及び接線高さＨＴ’は、位置６１６、境界位置６６５及び位置６１７それぞれにおける高さＨ’’、Ｈα及び接線高さＨＴよりも高い。領域６１５及び位置６１６及び境界６６５及び位置６１７に近接した後壁６１２が、基準線６４８に接することが有益である。接線長さＬＴ’は、位置６１６、境界６６５及び位置６１７において接線長さＬＴに対応することが有益である。長さＬ’は、位置６１６、境界６６５及び位置６１７において、長さＬよりも短いが、長さＬに実質的に相当してもよい。しかしながら、接線長さＬＴ’は、接線長さＬＴ’’及び接線長さＬＴαに実質的に相当してもよく、長さＬ’は、長さＬ’’及び長さＬαに相当してもよく、又は、長さＬ’及び接線高さＬＴ’は、長さＬ’’及び接線長さＬＴ’’にそれぞれ相当してもよい。いずれにしても、境界６６５及び位置６１７における接線長さＬＴは、互いに対応することが有益である。この構成により、単一のダイアセンブリ６００のクラムシェル現象による差分歪みを低減するよう、１：１のＬＦＣ比又は約１：１のＬＦＣ比がもたらされることが有利である。